(57)【特許請求の範囲】
【請求項１】
テレビジョンキャビネットに備えられた外部ステレオ音声出力端子と、同外部ステレオ音声出力端子を介して電気的に接続されつつ、上記テレビジョンキャビネットに着脱自在な左右一対の付属スピーカーと、上記テレビジョンキャビネットに内蔵された左右一対の内蔵スピーカーとを具備するテレビジョンセットであって、
上記外部スピーカーおよび上記付属スピーカーにおいて汎用的に備えられ上記外部ステレオ音声出力端子に接続可能な端子によって操作可能な第一のスイッチと、
上記付属スピーカーに設けられた突起によって操作可能な第二のスイッチと、
上記第一のスイッチが操作されないとき上記外部ステレオ音声出力端子に何も接続されない第一状態であると判別し、上記第一のスイッチが操作され、かつ、上記第二のスイッチが操作されないとき上記外部ステレオ音声出力端子に外部スピーカーが接続された第二状態であると判別し、上記第一のスイッチおよび上記第二のスイッチが操作されたとき上記外部ステレオ音声出力端子に上記付属スピーカーが接続された第三状態の各状態を判別可能な認識手段と、
同認識手段による判別結果に基づいて、第一状態においては上記内蔵スピーカーからステレオ音声を出力し、第二状態においては上記内蔵スピーカーからモノラル音声を出力し、第三状態においては上記内蔵スピーカーからステレオ音声を出力するように上記内蔵スピーカーに伝達される音声信号を切り換える信号切換手段とを具備することを特徴とするテレビジョンセット。
【請求項２】
テレビジョンキャビネットに備えられた外部ステレオ音声出力端子と、上記テレビジョンキャビネットに内蔵された左右一対の内蔵スピーカーとを具備するテレビジョンセットであって、
上記外部スピーカーおよび上記付属スピーカーにおいて汎用的に備えられ上記外部ステレオ音声出力端子に接続可能な端子によって操作可能な第一のスイッチと、
上記付属スピーカーに設けられた突起によって操作可能な第二のスイッチと、
上記第一のスイッチおよび上記第二のスイッチの状態に基づいて、上記外部ステレオ音声出力端子に何も接続されない第一状態、上記外部ステレオ音声出力端子に外部スピーカーが接続された第二状態および上記外部ステレオ音声出力端子に上記付属スピーカーが接続された第三状態の各状態を判別可能な認識手段と、
同認識手段に基づいて、第一状態においては上記内蔵スピーカーからステレオ音声を出力し、第二状態においては上記内蔵スピーカーからモノラル音声を出力するように、上記内蔵スピーカーに伝達される音声信号を切り換える信号切換手段とを具備することを特徴とするテレビジョンセット。
【請求項３】
上記外部ステレオ音声出力端子を介して電気的に接続しつつ、上記テレビジョンキャビネットに着脱自在な左右一対の付属スピーカーを具備するとともに、
当該付属スピーカーが取り付けられた状態を判別可能な認識手段と、
同認識手段に基づいて、上記内蔵スピーカーからステレオ音声を出力するように、上記内蔵スピーカーに伝達される音声信号を自動的に切り換える信号切換手段とを具備することを特徴とする請求項２に記載のテレビジョンセット。
【請求項４】
上記信号切換手段は、上記認識手段の判別結果に基づくほか、視聴者の指令に基づいても上記内蔵スピーカーに伝達される音声信号をモノラル音声信号およびステレオ音声信号のいずれかに切り換えることを特徴とする請求項２〜請求項３のいずれかに記載のテレビジョンセット。
【発明の詳細な説明】
【０００１】
【発明の属する技術分野】
本発明は、テレビジョンセットに関し、特に、本体にステレオ内蔵スピーカーを具備するとともに外部にステレオ音声出力が可能な音声出力端子を具備するテレビジョンセット関する。
【０００２】
【従来の技術】
従来、この種のテレビジョンセットとして、チャンネルの異なる５個のスピーカーを視聴者を中心に取り囲むように配置するものが最も一般的なものとして知られている（例えば、特許文献１参照。）。
かかる構成により、視聴者は音源に取り囲まれて、あたかもその場にいるような臨場感のあるサラウンド効果を楽しむことができる。
【特許文献１】
特開平１０−１３９８７号公報
【０００３】
【発明が解決しようとする課題】
上述した従来のテレビジョンセットにおいては、それぞれのチャンネルに対応した音声信号を生成するデジタル信号処理が必要となるため装置が高価となるほか、再生ソースも多チャンネル再生に対応する一部のＤＶＤ等でないと最大限のサラウンド効果が発揮されない。
一方、現状テレビジョンに入力されている通常のステレオ音声でもサラウンド効果が得られるテレビジョンセットが望まれていた。
本発明は、上記課題にかんがみてなされたもので、安価で擬似的なサラウンド音響が実現可能なテレビジョンセットの提供を目的とする。
【０００４】
【課題を解決するための手段】
上記目的を達成するため、請求項１にかかる発明は、テレビジョンキャビネットに備えられた外部ステレオ音声出力端子と、同外部ステレオ音声出力端子を介して電気的に接続されつつ、上記テレビジョンキャビネットに着脱自在な左右一対の付属スピーカーと、上記テレビジョンキャビネットに内蔵された左右一対の内蔵スピーカーとを具備するテレビジョンセットであって、上記外部スピーカーおよび上記付属スピーカーにおいて汎用的に備えられ上記外部ステレオ音声出力端子に接続可能な端子によって操作可能な第一のスイッチと、上記付属スピーカーに設けられた突起によって操作可能な第二のスイッチと、上記第一のスイッチが操作されないとき上記外部ステレオ音声出力端子に何も接続されない第一状態であると判別し、上記第一のスイッチが操作され、かつ、上記第二のスイッチが操作されないとき上記外部ステレオ音声出力端子に外部スピーカーが接続された第二状態であると判別し、上記第一のスイッチおよび上記第二のスイッチが操作されたとき上記外部ステレオ音声出力端子に上記付属スピーカーが接続された第三状態の各状態を判別可能な認識手段と、同認識手段による判別結果に基づいて、第一状態においては上記内蔵スピーカーからステレオ音声を出力し、第二状態においては上記内蔵スピーカーからモノラル音声を出力し、第三状態においては上記内蔵スピーカーからステレオ音声を出力するように上記内蔵スピーカーに伝達される音声信号を切り換える信号切換手段とを具備する構成としてある。
【０００５】
上記のように構成した請求項１の発明は、上記認識手段は、上記外部ステレオ音声出力端子に何も接続されない第一状態と、上記外部ステレオ音声出力端子に上記付属スピーカーとは異なる外部スピーカーがケーブル等を介して接続された第二状態と、上記外部ステレオ音声出力端子に上記テレビジョンキャビネットに着脱自在な左右一対の上記付属スピーカーが接続された第三状態とをそれぞれ判別する。具体的には、上記外部スピーカーおよび上記付属スピーカーにおいて汎用的に備えられ上記外部ステレオ音声出力端子に接続可能な端子によって操作可能な第一のスイッチと、上記付属スピーカーに設けられた突起によって操作可能な第二のスイッチとを備え、上記第一のスイッチが操作されないとき上記外部ステレオ音声出力端子に何も接続されない第一状態であると判別する。さらに、上記第一のスイッチが操作され、かつ、上記第二のスイッチが操作されないとき上記外部ステレオ音声出力端子に外部スピーカーが接続された第二状態であると判別する。上記第一のスイッチおよび上記第二のスイッチが操作されたときには上記外部ステレオ音声出力端子に上記付属スピーカーが接続された第三状態であると判断する。さらに、同判別結果に基づいて、上記信号切換手段は上記内蔵スピーカーに伝達される音声信号を、第一状態および第三状態においてはステレオ音声信号として、第二状態においてはモノラル音声信号とするように音声信号を自動的に切り換える。
【０００６】
すなわち、上記外部ステレオ音声出力端子に上記外部スピーカーを接続したときのみ、上記内蔵スピーカーはモノラル音声を発することとなる。ここで、上記外部スピーカーを接続するにあたり、所定の長さを有するケーブルを介して接続した場合、上記外部スピーカーは視聴者に対して左右広角に配置することが可能となる。従って、視聴者はそれぞれの音源を左、右側に配置することが可能となる。さらに、このとき上記内蔵スピーカーからはモノラル音声が発せられるため擬似的なサラウンド効果を得ることができる。また、上記内蔵スピーカーはミュートされないためテレビジョンの正面の音量が弱くなることもない。むろん、再生される音声ソースはステレオ音声で足りるため、通常のアナログ地上波であっても擬似的なサラウンド効果を楽しむことができる。
【０００７】
なお、上記認識手段は上記外部ステレオ音声出力端子に上記付属スピーカーおよび上記外部スピーカーが接続されたことを認識できればよく、端子部の押圧等を機械的に検出するものであってもよいし、接続される機器の抵抗値を検出する等の電気的な手段であってもよい。さらに、上記外部ステレオ音声出力端子が光学的な接続方式とするものであれば、光学的に検出するものとするのが好適である。また、上記外部ステレオ音声出力端子はステレオ音声信号を出力することができればよく種々の態様が採用できる。例えば、左右一対のＲＣＡピン／ジャックを採用するものとしてもよいし、ヘッドフォン等に用いられるステレオミニジャックを採用してもよい。さらに、上記外部ステレオ音声出力端子は、外部スピーカー用と付属スピーカー用が個別に設けてあってもよいし、単一の上記外部ステレオ音声出力端子をそれぞれのスピーカーが共用するものとしてもよい。
【０００８】
また、請求項２にかかる発明は、テレビジョンキャビネットに備えられた外部ステレオ音声出力端子と、上記テレビジョンキャビネットに内蔵された左右一対の内蔵スピーカーとを具備するテレビジョンセットであって、上記外部スピーカーおよび上記付属スピーカーにおいて汎用的に備えられ上記外部ステレオ音声出力端子に接続可能な端子によって操作可能な第一のスイッチと、上記付属スピーカーに設けられた突起によって操作可能な第二のスイッチと、上記第一のスイッチおよび上記第二のスイッチの状態に基づいて、上記外部ステレオ音声出力端子に何も接続されない第一状態、上記外部ステレオ音声出力端子に外部スピーカーが接続された第二状態および上記外部ステレオ音声出力端子に上記付属スピーカーが接続された第三状態の各状態を判別可能な認識手段と、同認識手段に基づいて、第一状態においては上記内蔵スピーカーからステレオ音声を出力し、第二状態においては上記内蔵スピーカーからモノラル音声を出力するように、上記内蔵スピーカーに伝達される音声信号を切り換える信号切換手段とを具備する構成としてある。
【０００９】
上記のように構成した請求項２の発明は、上記認識手段は、上記外部ステレオ音声出力端子に何も接続されない第一状態と、上記外部ステレオ音声出力端子に上記付属スピーカーとは異なる外部スピーカーがケーブル等を介して接続された第二状態とをそれぞれ判別する。具体的には、上記外部スピーカーおよび上記付属スピーカーにおいて汎用的に備えられ上記外部ステレオ音声出力端子に接続可能な端子によって操作可能な第一のスイッチと、上記付属スピーカーに設けられた突起によって操作可能な第二のスイッチとを備え、これらの操作状態に基づいて各状態を判断する。さらに、同判別結果に基づいて、上記信号切換手段は上記内蔵スピーカーに伝達される音声信号を、第一状態においてはステレオ音声信号として、第二状態においてはモノラル音声信号とするように音声信号を自動的に切り換える。
【００１０】
すなわち、上記外部ステレオ音声出力端子に上記外部スピーカーを接続したとき、上記内蔵スピーカーはモノラル音声を発することとなる。従って、上述と同様の理由により、広範囲にわたって擬似的なサラウンド効果を発揮させることが可能となる。また、再生される音声ソースはステレオ音声で足りるため、通常のアナログ地上波であっても上記のサラウンド効果を楽しむことができる。
【００１１】
さらに、請求項３にかかる発明は、上記外部ステレオ音声出力端子を介して電気的に接続しつつ、上記テレビジョンキャビネットに着脱自在な左右一対の付属スピーカーを具備するとともに、当該付属スピーカーが取り付けられた状態を判別可能な認識手段と、同認識手段に基づいて、上記内蔵スピーカーからステレオ音声を出力するように、上記内蔵スピーカーに伝達される音声信号を自動的に切り換える信号切換手段とを具備する構成としてある。
【００１２】
上記のように構成した請求項３の発明は、上記付属スピーカーは、上記テレビジョンキャビネットに取り付けられるとともに、上記外部ステレオ音声出力端子を介して電気的に接続することによりステレオ音声を発することが可能となる。さらに、上記認識手段は、上記付属スピーカーが取り付けられたことを判別するとともに、それに基づいて上記内蔵スピーカーにステレオ音声信号が供給される。従って、共に上記テレビジョンキャビネットに配設されることとなる上記付属スピーカーと上記内蔵スピーカーは視聴者に対する位置がほぼ同位置となるため、共にステレオ音声を発して互いに強調し合う関係となる。
【００１３】
また、請求項４にかかる発明は、上記信号切換手段は、上記認識手段の判別結果に基づくほか、視聴者の指令に基づいても上記内蔵スピーカーに伝達される音声信号をモノラル音声信号およびステレオ音声信号のいずれかに切り換える構成としてある。
上記のように構成した請求項４の発明は、モノラル音声信号とステレオ音声信号との切り換えは、上記認識手段の判別結果のほか、視聴者の指令に基づいても行われる。すなわち、視聴者が任意に上記内蔵スピーカーから発せられる音声を切り換えることが可能となる。
【００１４】
【発明の効果】
以上説明したように、請求項１および請求項２にかかる発明によれば、臨場感のあるサラウンド効果の高いテレビジョンセットを提供することができる。
請求項３にかかる発明によれば、ステレオ音声を強調することができる。
請求項４にかかる発明によれば、出力される音声を視聴者が選択することが可能となる。
【００１５】
【発明の実施の形態】
以下、下記の順序に従って本発明の実施形態を説明する。
（１）使用状態の説明：
（２）スピーカー配線の説明：
（３）変形例：
（４）まとめ：
【００１６】
（１）使用状態の説明：
図１は、本発明の第一の実施形態にかかるテレビジョンセットを正面から見て示している。同図において、モニター４０を有するテレビジョン１０の前面には、左右一対の内蔵スピーカー３０が組み込まれている。また、テレビジョン１０の前面および背面には、図示しない電源スイッチ、リモコン受信部やアンテナ端子、電源端子等の各種入出力端子等が配設されている。一方、テレビジョン１０の上面には、左右一対のＲＣＡジャック１１ａ，１１ｂ等の後述する付属スピーカーを接続するための接続機構が備えられている。なお、本実施形態にかかるテレビジョン１０はステレオ音声回路を内部に具備しており、内蔵スピーカー３０からステレオ音声を出力することが可能となっている。
【００１７】
図２は、本発明の第一の実施形態にかかるテレビジョンセットを正面から見て示している。同図において、テレビジョン１０の上面には左右一対の付属スピーカー２０ａ，２０ｂが載置固定されている。ここで、図１で示すテレビジョンセットの状態と図２で示すテレビジョンセットの状態との相違は、付属スピーカー２０ａ，２０ｂが載置固定されているか否かであり、以下、前者を第一の状態として、後者を第三の状態と表現する。なお、第三の状態において、付属スピーカー２０は、電気的にも接続されていてステレオ音声を出力することが可能となっている。
【００１８】
図３は、第三の状態における付属スピーカー２０およびテレビジョン１０の断面を見て示している。同図において、付属スピーカー２０のスピーカーキャビネット２３から下方に向かって突出したＲＣＡピン２１が、テレビジョンキャビネット１５に埋め込まれて設けられたＲＣＡジャック１１に挿入されている。なお、ＲＣＡピン２１は、スピーカーユニット２２と図示しない配線により電気的に接続されている。一方、テレビジョン１０の前面側には、付属スピーカー２０を位置決めするための位置決め突起２３ａが形成されており、その先端は、同位置決め突起２３ａに対応させてテレビジョンキャビネット１５に設けられた穴１５ａを貫通している。さらに、付属スピーカー２０とネジ穴１５ｂ１５を固定するために、付属スピーカー２０の後方にて、ネジ２６がスピーカーキャビネット２３に設けられた穴２３ｂを貫通しつつネジ穴１５ｂに螺合させられている。なお、テレビジョン１０の左右に備えられた左右のＲＣＡジャック１１ａ，ｂには、一対の左右の音声信号が伝達されて双方でステレオ音声を出力する。
【００１９】
かかる構成により、位置決め突起２３ａと穴１５ａおよびＲＣＡピン２１とＲＣＡジャック１１とにより位置合わせをしつつ、付属スピーカー２０をテレビジョン１０に接近させていくと、ＲＣＡピン２１とＲＣＡジャック１１は電気的に接続する。その後、ネジ２６をネジ穴１５ｂに螺合させることによりネジ穴１５ｂ１５に対して付属スピーカー２０を固定することができる。一方、付属スピーカー２０を取り外す場合は、ネジ２６とネジ穴１５ｂによるネジ止めを解除して、付属スピーカー２０をＲＣＡピン２１の軸方向にテレビジョン１０から引き離せばよい。このように、付属スピーカー２０はテレビジョン１０に対して着脱自在となっている。
【００２０】
従って、工場出荷時等の運搬を要するときには、付属スピーカー２０を取り外してかさばらないようにして、使用時には付属スピーカー２０を取り付けて臨場感のある音声を楽しむ等、状況に応じて都合良く使い分けることが可能となる。なお、ＲＣＡジャック１１に伝達される音声信号により、付属スピーカー２０からはステレオ音声が発せられる。
【００２１】
図４は、ＲＣＡジャック１１にＲＣＡピン２１が挿入される状態を示している。
ＲＣＡジャック１１の奥側にはＲＣＡピン２１の先端部位にて押圧されて接続状態が変化するスイッチＷ１が備えらている。同スイッチＳＷ１は、可動切片２７と、一対の固定切片２８，２９を有している。
【００２２】
可動切片２７は、一対の帯板状金属片２７ａ，２７ｂを平行に並べつつ長手方向の両端を除いて可撓性を有する絶縁性樹脂にて被覆してあり、一方の端部を固定端としてネジ穴１５ｂに固定されている。この固定端の側における上記金属片２７ａ，２７ｂの端部には一対のスピーカーケーブル２７ｃが半田付け固定されており、反対側の自由端は可動片として上記固定切片２８，２９に対して当接して接続可能となっている。
【００２３】
固定片２８，２９は、可動切片２７とほぼ同様にそれぞれ一対の帯板状金属片２８ａ，２８ｂ，２９ａ，２９ｂを平行に並べつつ長手方向の両端を除いて絶縁性樹脂にて被覆してあり、ほぼ中程にてテレビジョンキャビネット１５に固定されている。各金属片２８ａ，２８ｂ，２９ａ，２９ｂにおける上記可動切片２７に近い側は同可動切片２７における自由端を挟む位置に保持されており、上記可動切片２７に遠い側には後述する切り換えのための二対のケーブル２８ｃ，２９ｃが半田付け接続されている。なお、可動切片２７は、ＲＣＡピン２１が挿入されていない状態のときに上記金属片２８ａ，２８ｂに当接し、ＲＣＡピン２１が挿入されたときには押圧されて撓み、上記金属片２９ａ，２９ｂに当接する。むろん、それぞれの当接状態においては露出している金属部分同士が接触し、電気的に接続することになる。なお、ＲＣＡジャック１１にもスピーカーケーブル１１ｃが接続され音声信号を供給するため、ＲＣＡジャック１１にＲＣＡピン２１を挿入すれば、付属スピーカー２０からは音声が出力されることとなる。
【００２４】
なお、以下、同図表に示すように、ＲＣＡピン２１がＲＣＡジャック１１に挿入されて、可動切片２７が金属片２９ａ，２９ｂに接触した状態をＳＷ１が端子▲２▼に接続した状態とし、一方、ＲＣＡピン２１がＲＣＡジャック１１に挿入されないで、可動切片２７が金属片２８ａ，２８ｂに接触した状態をＳＷ１が端子▲１▼に接続した状態と表現する。
【００２５】
図５は、テレビジョンキャビネット１５に設けられた穴１５ａに位置決め突起２３ａが挿入される状態を示している。
穴１５ａの奥側には位置決め突起２３ａの先端部位にて押圧されて接続状態が変化するスイッチＳＷ２が備えらている。同スイッチＳＷ２は、可動切片２４と、一対の固定切片２５，２６を有している。
【００２６】
可動切片２４は、一対の帯板状金属片２４ａ，２４ｂを平行に並べつつ長手方向の両端を除いて可撓性を有する絶縁性樹脂にて被覆してあり、一方の端部を固定端としてテレビジョンキャビネット１５に固定されている。この固定端の側における上記金属片２４ａ，２４ｂの端部には一対のスピーカーケーブル２４ｃが半田付け固定されており、反対側の自由端は可動片として上記固定切片２５，２６に対して当接して接続可能となっている。
【００２７】
固定片２５，２６は、可動切片２４とほぼ同様にそれぞれ一対の帯板状金属片２５ａ，２５ｂ，２６ａ，２６ｂを平行に並べつつ長手方向の両端を除いて絶縁性樹脂にて被覆してあり、ほぼ中程にてテレビジョンキャビネット１５に固定されている。各金属片２５ａ，２５ｂ，２６ａ，２６ｂにおける上記可動切片２４に近い側は同可動切片２４における自由端を挟む位置に保持されており、上記可動切片２４に遠い側には後述する切り換えのための二対のケーブル２５ｃ，２６ｃが半田付け接続されている。なお、可動切片２４は、位置決め突起２３ａが挿入されていない状態のときに上記金属片２５ａ，２５ｂに当接し、位置決め突起２３ａが挿入されたときには押圧されて撓み、上記金属片２６ａ，２６ｂに当接する。むろん、それぞれの当接状態においては露出している金属部分同士が接触し、電気的に接続することになる。
【００２８】
なお、以下、同図表に示すように、位置決め突起２３ａが穴１５ａに挿入されて、可動切片２４が金属片２６ａ，２６ｂに接触した状態をＳＷ２が端子▲４▼に接続した状態とし、一方、ＲＣＡピン２１がＲＣＡジャック１１に挿入されないで、可動切片２４が金属片２５ａ，２５ｂに接触した状態をＳＷ２が端子▲３▼に接続した状態と表現する。
【００２９】
図６は、第二の状態として、テレビジョン１０のＲＣＡジャック１１にケーブル５１を介して外部スピーカー５０が取り付けられた状態を示している。同図において、ケーブル５１は所定の長さを有しているため、外部スピーカー５０の配置位置はケーブル５１の長さに応じて選択可能となる。なお、ケーブル５１は一端にＲＣＡピンが備えられることにより、ＲＣＡジャック１１に接続可能となっている。このとき、ケーブル５１には位置決め突起２３ａが備えられないため、スイッチＳＷ２は端子▲３▼に接触したままで、スイッチＳＷ１は端子▲２▼に接触している。
【００３０】
かかる構成により、ＲＣＡジャック１１には、ステレオ音声が出力されているため外部スピーカー５０はステレオ音声を発することが可能であるとともに、左右の外部スピーカー５０を視聴者に対して広角に配置することが可能となるため、視聴者により臨場感のある音響効果を与えることができる。また、接続端子としてＲＣＡジャック１１を採用しているため、汎用性が高く、外部スピーカー５０の選択の幅が広い。従って、外部スピーカー５０として質の高いものを使用すれば、より音響効果を向上させることができる。むろん、ケーブル５１として一端にＲＣＡオス端子、もう一端にＲＣＡメス端子を有するケーブルを用いれば、付属スピーカー２０そのまま利用して、広角に配置することも可能である。
【００３１】
（２）スピーカー配線の説明：
図７は、本実施形態にかかるスピーカー配線の回路を模式的に示している。なお、音声ＩＣ８０は図示しないチューナー，ＶＩＦ回路，マイコン等が接続され信号等の入出力が適宜行われている。同図において、上述したＲＣＡジャック１１には常時音声ＩＣ８０からの左右のステレオ音声信号がアンプにより増幅させられつつ供給されている。従って、上述したように、ＲＣＡジャック１１に付属スピーカー２０が接続された第三の状態、ＲＣＡジャック１１に外部スピーカーが接続された第二の状態のいずれにおいても、付属スピーカー２０および外部スピーカー（ケーブルを介して付属スピーカー２０を接続した場合も含む）からはステレオ音声が発せられる。
【００３２】
一方、内蔵スピーカー３０については、音声ＩＣ８０からアンプに至るまでに、スイッチＳＷ１，ＳＷ２が介在するとともに、ＬおよびＲの音声信号を混合させてモノラル音声を生成する切換回路９０も形成されている。なお、スイッチＳＷ１，ＳＷ２は上述したスイッチであって、付属スピーカー２０の取り付けやＲＣＡピンの差し込みに起因して、それぞれの接続が切り換えられる。ここで、回路の構成からスイッチＳＷ１が端子▲２▼に接続し、スイッチＳＷ２が端子▲３▼に接続した場合には、内蔵スピーカー３０にモノラル信号が供給される。一方、スイッチＳＷ１が端子▲１▼に接続し、スイッチＳＷ２が端子▲３▼に接続した場合および、スイッチＳＷ１が端子▲２▼に接続し、スイッチＳＷ２が端子▲４▼に接続した場合には、内蔵スピーカー３０にステレオ信号が供給される。
【００３３】
さらに、図８は、上述した第一から第三の状態と、スイッチＳＷ１，ＳＷ２の動作を関連づけて整理した表を示している。同図において、ＲＣＡジャック１１に何も接続しない第一の状態では、スイッチＳＷ１は端子▲１▼に接続され、スイッチＳＷ２は端子▲３▼に接続されるため、内蔵スピーカー３０からはステレオ音声が発せられる。また、ＲＣＡジャック１１に付属スピーカー２０を直接接続した第三の状態でも、スイッチＳＷ１は端子▲２▼に接続され、スイッチＳＷ２は端子▲４▼に接続されるため、内蔵スピーカー３０からはステレオ音声が発せられる。一方、ＲＣＡジャック１１に外部スピーカー５０を接続した第二の状態では、スイッチＳＷ１は端子▲２▼に接続され、スイッチＳＷ２は端子▲３▼に接続されるため、内蔵スピーカー３０からはモノラル音声が発せられる。すなわち、ステレオスピーカーを広角的に配置可能な外部スピーカー５０を接続した第二の状態のみ、自動的に内蔵スピーカー３０からはモノラル音声が発せられることとなる。
【００３４】
ここで、第二の状態における視聴者と各スピーカーとの位置関係を示した図６において、視聴者の右側に外部スピーカー５０Ｒ（右側スピーカー）が配置されるとともに、左側には外部スピーカー５０Ｌ（左側スピーカー）が配置されている。これにより、視聴者は右側音声と左側音声をそれぞれの側から聞くことができて、より臨場感が増すこととなる。
【００３５】
さらに、本実施形態のように、外部スピーカー５０を接続すると自動的に内蔵スピーカー３０からはモノラル音声が発せられるようにすれば、テレビジョン１０の正面に位置する左右の外部スピーカー５０Ｒ，５０Ｌに加えて、正面に擬似的なセンタースピーカーを備えることとなるため、擬似的なサラウンド効果を得ることができる。また、内蔵スピーカー３０は消音することはないため、正面の音量が弱まることがない。また、この内蔵スピーカー３０の音声出力の切り換えは自動的に行われるので設定等が煩雑となることもない。
なお、以上音声ソースがステレオ音声であることを前提として説明したが、音声ソースがモノラル音声のときは、いずれの状態においても内蔵スピーカー３０からはモノラル音声が出力されることは言うまでもない。
【００３６】
（３）第二の実施形態：
図９は、第二の実施形態にかかるスピーカー配線の回路を模式的に示している。同図において、前実施例の切換回路９０と同様の切換回路１９０のほか、ＩＣ１６０が同回路中に組み込まれている。ＩＣ１６０は、切換回路１９０からの入力Ｉ１Ｌ，Ｉ１Ｒと、音声ＩＣからのステレオ信号が直接引き出された入力Ｉ２Ｌ，Ｉ２Ｒと、マイコン１７０からの入出力Ｉ３とが入力信号として接続されている。さらに、内蔵スピーカーに対する出力Ｏ１Ｒ，Ｏ１Ｌも接続されている。
【００３７】
なお、ＩＣは、マイコン１７０の指令に基づいて、入力されたステレオ音声信号Ｉ２Ｌ，Ｉ２Ｒからモノラル音声信号を生成可能であるとともに、当該モノラル音声信号および切換回路１９０からの入力Ｉ１Ｌ，Ｉ１Ｒからの音声入力のいずれかを切り換えることにより、出力Ｏ１Ｒ，Ｏ１Ｌを介して内蔵スピーカーに出力する。また、マイコン１７０はビデオＩＣ，モニター，リモコン受信部等と連携しており、視聴者はモニターを確認しながらリモコンを操作して上記の指令をＩＣ１６０に与えることができる。
【００３８】
図１０は、上記の構成により内蔵スピーカーの出力が切り換えられる手順を示すフローチャートを示している。同図において、ステップＳ１０５にて、自動モードが選択されるとＩＣ１６０は、ステップ１２５において切換回路１９０からの入力Ｉ１Ｌ，Ｉ１Ｒをそのまま内蔵スピーカー１３０に出力する。このとき、前実施例において説明したように切換回路１９０によって内蔵スピーカー１３０から出力される音声は、スピーカーの接続状況に応じてステレオ／モノラルのいずれかとなっている。
【００３９】
一方、ステップＳ１０５にて自動モードを選択しなかった場合、ステップＳ１１０により視聴者はステレオ／モノラルのいずれかを選択することができる。ここで、モノラル音声が選択されると、ステップＳ１１５により音声ＩＣからのステレオ信号が直接引き出された入力Ｉ２Ｌ，Ｉ２Ｒからモノラル音声信号を生成しつつ、当該モノラル音声信号を内蔵スピーカー１３０に出力する。また、ステップＳ１１０においてモノラル音声が選択されないと入力Ｉ２Ｌ，Ｉ２Ｒをそのまま内蔵スピーカー１３０に出力する。
【００４０】
かかる構成により、スピーカーの接続状況に応じて最適な音響効果が得られる自動モードを選択可能となるとともに、視聴者の意向に基づいてもステレオ／モノラルのいずれかを選択することができる。例えば、視聴者がモノラル音声のみを楽しみたいと思った場合にも、外部ステレオ音声出力端子に何も接続しないで、ステップＳ１０５，Ｓ１１０にてモノラル音声を選択すればよく、視聴者の意向に柔軟に対応することが可能となる。
【００４１】
（４）まとめ：
以上説明したように、本発明においては、外部ステレオ音声出力端子等の接続状況に起因して、内蔵スピーカーからの音声出力がステレオ／モノラルのいずれかに切り換わることにより、上記接続状況に応じた最適な音響効果を自動的に実現することが可能となる。
【図面の簡単な説明】
【図１】第一の実施形態にかかるテレビジョンの第一の状態を示した正面図
【図２】第一の実施形態にかかるテレビジョンの第三の状態を示した正面図
【図３】第一の実施形態にかかる付属スピーカーの断面図
【図４】第一の実施形態にかかるＲＣＡジャックを横から見て示した図
【図５】第一の実施形態にかかる位置決め突起を横から見て示した図
【図６】第一の実施形態にかかるテレビジョンの第二の状態を上から見て示した平面図
【図７】第一の実施形態にかかるテレビジョンのスピーカー配線を示す回路図
【図８】第一の実施形態にかかる各状態と内蔵スピーカーの音声出力との関係を示した表
【図９】第二の実施形態にかかるテレビジョンのスピーカー配線を示す回路図
【図１０】第二の実施形態にかかる内蔵スピーカーの出力設定の手順を示すフローチャート
【符号の説明】
１０…テレビジョン
１５…テレビジョンキャビネット
２０，１２０…付属スピーカー
３０，１３０…内蔵スピーカー
４０…モニター
５０，１５０…外部スピーカー
５１…ケーブル
６０…ＩＣ
１７０…マイコン
８０，１８０…音声ＩＣ
【図１】
0003698209.tif 000002
【図２】
0003698209.tif 000003
【図３】
0003698209.tif 000004
【図４】
0003698209.tif 000005
【図５】
0003698209.tif 000006
【図６】
0003698209.tif 000007
【図７】
0003698209.tif 000008
【図８】
0003698209.tif 000009
【図９】
0003698209.tif 000010
【図１０】
0003698209.tif 000011